(57)【要約】【課題】作業機械を搭載するステージを備えた傾斜地走行用の作業台車を提供する。【解決手段】ステージ１０の左右に備えられた一対のメインクローラ２０と、ステージ１０の前後に備えられた一対のサブクローラ３０とを用いて、作業台用のステージ１０を、傾斜地４０を前後方向、左右方向に適宜距離移動走行させる。そして、ステージ１０の前後方向を傾斜地４０の等高線に対してほぼ垂直に向けたままの状態で、ステージ１０を傾斜地４０の様々の作業地点まで自在に移動させるようにする。【選択図】図１
2006007947.tif 000002
【特許請求の範囲】
【請求項１】
作業台用のステージの左右に、ステージを傾斜地の等高線をほぼ垂直に横切る方向に向けて傾斜地を走行させるメインクローラがそれぞれ巡回可能に備えられると共に、前記ステージの前後に、ステージを傾斜地の等高線とほぼ平行な方向に向けて傾斜地を走行させるサブクローラがそれぞれ巡回可能に備えられ、さらに、前記メインクローラを、前記ステージに対して昇降させる第１昇降手段と、前記サブクローラを、前記ステージに対して昇降させる第２昇降手段とが備えられたことを特徴とする傾斜地走行用の作業台車。
【請求項２】
前記第２昇降手段が、ステージの後方に備えられたサブクローラを、ステージの前方に備えられたサブクローラをステージに対して上昇させた状態のままで、ステージに対して降下させるサブ昇降機構を持つことを特徴とする請求項１記載の傾斜地走行用の作業台車。
【請求項３】
前記ステージをメインクローラに対して前後方向に適宜角度回動させる回動手段が備えられたことを特徴とする請求項１又は２記載の傾斜地走行用の作業台車。
【請求項４】
前記ステージ前部にサービスステージが備えられて、そのサービスステージを、ステージ前方に突出させたり、ステージ内側に引っ込めたりするステージ出入機構が備えられたことを特徴とする請求項１、２又は３記載の傾斜地走行用の作業台車。
【請求項５】
前記ステージの周囲に柵が備えられたことを特徴とする請求項１、２、３又は４記載の傾斜地走行用の作業台車。
【発明の詳細な説明】
【技術分野】
【０００１】
本発明は、山間部などに点在する畑地、荒れ地等の傾斜地を安定走行させるための、傾斜地走行用の作業台車に関する。
【背景技術】
【０００２】
上記傾斜地を、根菜作物を掘取する作業機械を搭載して移動させる走行装置、摘み取った果実や収穫した野菜を搭載して搬送する走行装置、畑地や荒れ地を掘り起こす掘削機械を搭載して移動させる走行装置の走行手段には、ゴム製などのクローラが多く用いられている。この走行手段にクローラが用いられた走行装置は、凹凸のある不整地状態の傾斜地であっても、その傾斜地を上記走行装置を引っ掛かりなく安定走行させることができる。
この走行手段にクローラが用いられた走行装置には、掘削機などの様々の作業機械が搭載されていて、その作業機械を走行装置本体ごと左右に旋回移動させたり、又はその作業機械を走行装置本体に対して左右に旋回させたりするための旋回手段が備えられている。そして、クローラにより傾斜地の作業地点近くまで移動させた走行装置に搭載された掘削機などの作業機械を、走行装置本体ごと左右に旋回移動させたり、又は走行装置本体に対して左右に旋回させたりしている。そして、その走行装置に搭載された掘削機などの作業機械を、傾斜地の作業地点直上に位置させている。そして、その作業機械により、傾斜地の作業地点を掘削等している。
【特許文献１】特開２００３−６４９７４号公報
【発明の開示】
【発明が解決しようとする課題】
【０００３】
しかしながら、上記走行装置において、その走行装置に搭載された掘削機などの作業機械を、走行装置本体ごと左右に旋回移動させたり、又は走行装置本体に対して左右に旋回させたりした際には、その走行装置の重心が走行装置本体の中央部から大きくずれる等して、その走行装置が傾斜地上で転倒する事故が多発した。そして、その走行装置を操作する作業者が、走行装置の下敷きとなって死亡したり、負傷したりすることがあった。
そのために、上記走行装置を操作する作業者は、その操縦に、多大な注意を常に払う必要があって、その安全管理が、煩わしかった。それと共に、その安全管理に、多大な手数と労力を要し、その走行装置により傾斜地での掘削作業等の作業を安心して効率よく行うことができなかった。
また、上記作業機械を搭載した走行装置を走行装置本体ごとクローラと共に傾斜地上で大きく左右に旋回移動させた際には、その走行装置に備えられたクローラにより傾斜地にクローラ走行跡が溝状に深く刻設されて、整地等された傾斜地が大きく傷められてしまった。
【０００４】
本発明は、このような課題を解消可能な、掘削などの様々の作業を行う機械を搭載するステージを備えた傾斜地走行用の作業台車（以下、作業台車という）を提供することを目的としている。
【課題を解決するための手段】
【０００５】
このような目的を達成するために、本発明の作業台車は、様々の作業を行う機械を搭載するための作業台用のステージの左右に、ステージを傾斜地の等高線をほぼ垂直に横切る方向に向けて傾斜地を走行させるメインクローラがそれぞれ巡回可能に備えられている。そして、その一対のメインクローラを正逆に巡回させて、作業台用のステージを、傾斜地の等高線をほぼ垂直に横切る方向に、傾斜地を前後方向に移動走行させることができるように構成されている。
それと共に、その作業台用のステージの前後に、ステージを傾斜地の等高線とほぼ平行な方向に向けて傾斜地を走行させるサブクローラがそれぞれ巡回可能に備えられている。そして、その一対のサブクローラを正逆に巡回させて、作業台用のステージを、傾斜地の等高線とほぼ平行な方向に、傾斜地を左右方向に移動走行させることができるように構成されている。
さらに、メインクローラを、ステージに対して昇降させる第１昇降手段と、サブクローラを、ステージに対して昇降させる第２昇降手段とが備えられている。そして、ステージの左右に備えられた一対のメインクローラを巡回させて、ステージを傾斜地を前後方向に移動走行させる際には、第１昇降手段により、メインクローラをステージに対して降下させて、その一対のメインクローラを傾斜地に着地させた状態とすることができるように構成されている。それと共に、第２昇降手段により、サブクローラをステージに対して上昇させて、そのサブクローラを傾斜地の上方に離脱させることができるように構成されている。そして、その傾斜地に着地させた一対のメインクローラにより、ステージを、サブクローラに邪魔されずに、傾斜地を前後方向に移動走行させることができるように構成されている。
他方、ステージの前後に備えられた一対のサブクローラを巡回させて、ステージを傾斜地を左右方向に移動走行させる際には、第２昇降手段により、サブクローラをステージに対して降下させて、その一対のサブクローラを傾斜地に着地させた状態とすることができるように構成されている。それと共に、第１昇降手段により、メインクローラをステージに対して上昇させて、そのメインクローラを傾斜地の上方に離脱させることができるように構成されている。そして、その傾斜地に着地させた一対のサブクローラにより、ステージを、メインクローラに邪魔されずに、傾斜地を左右方向に移動走行させることができるように構成されている。
【０００６】
即ち、本発明の作業台車においては、ステージの左右に備えられた一対のメインクローラと、ステージの前後に備えられた一対のサブクローラとを用いて、作業台用のステージを、傾斜地を前後方向、左右方向に適宜距離移動走行させることができるように構成されている。そして、ステージの前後方向を傾斜地の等高線に対してほぼ垂直に向けたままの状態で、ステージを傾斜地の様々の作業地点まで自在に移動させることができるように構成されている。
その結果、上記のようにして、ステージを傾斜地上で作業地点まで移動させる際に、ステージを、作業台車ごと左右に旋回移動させる必要がなくなる。そして、そのステージを作業台車ごとクローラと共に傾斜地上で大きく左右に旋回移動させた際に、作業台車に備えられたクローラにより傾斜地にクローラ走行跡が溝状に深く刻設されて、傾斜地が大きく傷められるのを、防ぐことができる。それと共に、ステージを作業台車ごと左右に大きく旋回移動させた際に、作業台車の重心が大きく狂って、その作業台車が傾斜地上で転倒する事故をなくすことができる。
【０００７】
本発明の作業台車においては、第２昇降手段が、ステージの後方に備えられたサブクローラを、ステージの前方に備えられたサブクローラをステージに対して上昇させた状態のままで、ステージに対して降下させるサブ昇降機構を持つ構造とすると良い。
そうした場合には、ステージの左右に備えられた一対のメインクローラやステージの前後に備えられた一対のサブクローラを巡回させて、傾斜地の作業地点近くまで移動走行させた作業台車を、その作業地点近くに停止させた際に、ステージの後方に備えられたサブクローラを、サブ昇降機構を用いて、ステージの前方に支持されたサブクローラをステージに対して上昇させた状態のままで、ステージに対して降下させて、そのサブクローラを、傾斜地に着地させた状態とすることができる。そして、そのサブクローラをつっかい棒に用いて、傾斜地の等高線に対してほぼ垂直な方向を向くステージが、重力を受けて、傾斜地の下方にずれ落ちるのを、防ぐことができる。
【０００８】
本発明の作業台車においては、ステージをメインクローラに対して前後方向に適宜角度回動させる回動手段が備えられた構造とすると良い。
そうした場合には、傾斜地の等高線に対してほぼ垂直な方向を向いて、傾斜地を移動走行するステージ上面がほぼ水平方向を向くように、回動手段を用いて、ステージをメインクローラに対して前後方向に適宜角度回動させることができる。そして、その水平方向を向くステージ上面に、掘削機などの作業機械をステージ外部に脱落せぬように安定させて搭載したり、散水用の水や消毒液を貯めた貯留槽を該槽内から散水用の水や消毒液が溢れて漏れ出さないよに安定させて搭載したりできる。
【０００９】
本発明の作業台車においては、ステージ前部にサービスステージが備えられて、そのサービスステージを、ステージ前方に突出させたり、ステージ内側に引っ込めたりするステージ出入機構が備えられた構造とすると良い。
そうした場合には、ステージの左右に備えられたメインクローラやステージの前後に備えられたサブクローラを巡回させて、傾斜地の作業地点近くまで移動走行させた作業台車を、その作業地点近くに停止させる等した際に、ステージ出入機構を用いて、サービスステージをステージ前方に突出させることができる。そして、そのサービスステージ前端を、ステージ前方の傾斜地のごく近くまで接近させた状態とすることができる。そして、その傾斜地に接近させたサービスステージ上に、ステージ上に搭載された作業機械を移動させて、その作業機械によりサービスステージ前端近くの傾斜地を確実かつ的確に掘り起こす等することができる。
また、このようにして、サービスステージ前端近くの傾斜地を作業機械により掘り起こす等した後には、サービスステージ上の作業機械をステージ上に再び戻すと共に、ステージ出入機構を用いて、そのサービスステージをステージ内側に引っ込めることができる。そして、作業台車を傾斜地を前後方向、左右方向に移動走行させた際に、サービスステージが、傾斜地に引っ掛かる等して、作業台車の円滑な走行が妨害されるのを、防ぐことができる。
【００１０】
本発明の作業台車においては、ステージの周囲に柵が備えられた構造とすると良い。
そうした場合には、ステージ上に搭載された掘削機などの作業機械や、その作業機械をステージ上に乗って操作する作業者が、ステージ外部に脱落するのを、ステージの周囲に備えられた柵により、防ぐことができる。
【発明の効果】
【００１１】
以上説明したように、本発明の作業台車によれば、作業台車に備えられたクローラにより傾斜地にクローラ走行跡が溝状に深く刻設されて、傾斜地が大きく傷められるのを、確実に防ぐことができる。それと共に、傾斜地を移動走行させる作業台車の重心が大きく狂って、その作業台車が傾斜地上で転倒する事故を、確実になくすことができる。
そして、傾斜地における掘削作業や搬送作業等の様々の作業を、常に効率よく安全に行うことが可能となる。
【発明を実施するための最良の形態】
【００１２】
次に、本発明の実施の形態を図面に従い説明する。
図１ないし図５は本発明の作業台車の好適な実施例を示し、図１はその使用状態を示す正面図、図２はその使用状態を示す側面図、図３はその平面図、図４はそのサブクローラの第２昇降手段の説明図、図５はそのエンジンルーム周辺の平面図である。以下に、この作業台車を説明する。
【００１３】
図の作業台車は、様々の作業を行う機械を搭載して搬送するための平板状をした作業台用のステージ１０を備えている。ステージ１０の左右には、ステージ１０を傾斜地４０の等高線をほぼ垂直に横切る方向に向けて傾斜地４０を走行させるメインクローラ２０がそれぞれ巡回可能に備えられている。そして、その一対のメインクローラ２０を正逆に巡回させて、作業台用のステージ１０を、傾斜地４０の等高線をほぼ垂直に横切る方向に、傾斜地４０を前後方向に移動走行させることができるように構成されている。
それと共に、その作業台用のステージ１０の前後に、ステージ１０を傾斜地４０の等高線とほぼ平行な方向に向けて傾斜地４０を走行させるサブクローラ３０がそれぞれ巡回可能に備えられている。そして、その一対のサブクローラ３０を正逆に巡回させて、作業台用のステージ１０を、傾斜地４０の等高線とほぼ平行な方向に、傾斜地４０を左右方向に移動走行させることができるように構成されている。
【００１４】
具体的には、図１に示したように、ステージ１０の中央部下面に、ジーゼルエンジン等のエンジン（図示せず）が収蔵されたほぼ方形箱体状のエンジンルーム１２が一連に突設されている。そして、ステージ１０下方のエンジンルーム１２の左右の側部に沿って、メインクローラ２０がそれぞれ巡回可能に支持されている。それと共に、ステージ１０下方のエンジンルーム１２の前後の側部に沿って、サブクローラ３０がそれぞれ巡回可能に支持されている。
【００１５】
さらに、図の作業台車には、図４に示したような、メインクローラ２０を、ステージ１０に対して昇降させる第１昇降手段２２と、サブクローラ３０を、ステージ１０に対して昇降させる第２昇降手段３２とが備えられている。そして、図１に示したように、ステージ１０の左右に備えられた一対のメインクローラ２０を巡回させて、ステージ１０を傾斜地を前後方向に移動走行させる際には、第１昇降手段２２により、メインクローラ２０をステージ１０に対して降下させて、その一対のメインクローラ２０を傾斜地４０に着地させた状態とすることができるように構成されている。それと共に、第２昇降手段３２により、サブクローラ３０をステージ１０に対して上昇させて、そのサブクローラ３０を傾斜地４０の上方に離脱させることができるように構成されている。そして、その傾斜地４０に着地させた一対のメインクローラ２０により、ステージ１０を、サブクローラ３０に邪魔されずに、傾斜地４０を前後方向に移動走行させることができるように構成されている。
【００１６】
他方、ステージ１０の前後に備えられた一対のサブクローラ３０を巡回させて、ステージ１０を傾斜地４０を左右方向に移動走行させる際には、図２に示したように、第２昇降手段３２により、サブクローラ３０をステージ１０に対して降下させて、その一対のサブクローラ３０を傾斜地４０に着地させた状態とすることができるように構成されている。それと共に、第１昇降手段２２により、メインクローラ２０をステージ１０に対して上昇させて、そのメインクローラ２０を傾斜地４０の上方に離脱させることができるように構成されている。そして、その傾斜地４０に着地させた一対のサブクローラ３０により、ステージ１０を、メインクローラ２０に邪魔されずに、傾斜地４０を左右方向に移動走行させることができるように構成されている。
【００１７】
具体的には、図５に示したように、メインクローラ２０を巡回自在に支持する駆動スプロケット２３及び遊動スプロケット２５の逆山形状に折曲した回転軸２６を、エンジンルーム１２内の左右に設けれられた軸受部（図示せず）を中心に、上下方向に回転駆動させることができるように構成されている。そして、メインクローラ２０を、エンジンルーム１２の左右の側部で、ステージ１０に対して昇降させることができるように構成されている。
それと共に、図４と図５に示したように、サブクローラ３０を巡回自在に支持する駆動スプロケット３３及び遊動スプロケット３５の逆山形状に折曲した回転軸３６を、エンジンルーム１２内の前後に設けれられた軸受部３４を中心に、上下方向に回転駆動させることができるように構成されている。そして、サブクローラ３０を、エンジンルーム１２の前後の側部で、ステージ１０に対して昇降させることができるように構成されている。
【００１８】
メインクローラ２０、サブクローラ３０は、エンジンルーム１２に収蔵されたエンジン（図示せず）により回転駆動される油圧モータ（図示せず）により、正逆に巡回させるように構成されている。
同様にして、第１昇降手段２２、第２昇降手段３２も、エンジンルーム１２に収蔵されたエンジンにより駆動される油圧シリンダ（図示せず）により、動作させるように構成されている。
これらの油圧モータ、油圧シリンダは、無線操縦式又は有線操縦式のコントロールボックス（図示せず）に備えられスイッチ類、又はステージ１０上に備えられた操作レバー（図示せず）により、駆動制御されるように構成されている。
【００１９】
図１ないし図５に示した作業台車は、以上のように構成されていて、この作業台車においては、ステージ１０を予め傾斜地４０の等高線をほぼ垂直に横切る方向に向けておいて、第２昇降手段３２によりステージ１０の前後に備えられた一対のサブクローラ３０をステージ１０に対して上昇させることができる。そして、その一対のサブクローラ３０を傾斜地４０の上方に離脱させることができる。それと共に、第１昇降手段２２によりステージ１０の左右に備えられた一対のメインクローラ２０をステージ１０に対して降下させて、その一対のメインクローラ２０を傾斜地４０に着地させた状態とすることができる。次いで、その傾斜地４０に着地させた一対のメインクローラ２０を巡回させて、ステージ１０を、傾斜地４０の等高線をほぼ垂直に横切る方向に向けて、傾斜地４０を前後方向に移動走行させることができる。
同様にして、第１昇降手段２２によりステージ１０の左右に備えられた一対のメインクローラ２０をステージ１０に対して上昇させて、その一対のメインクローラ２０を傾斜地４０の上方に離脱させることができる。それと共に、第２昇降手段３２によりステージ１０の前後に備えられた一対のサブクローラ３０をステージ１０に対して降下させて、その一対のサブクローラ３０を傾斜地４０に着地させた状態とすることができる。次いで、その傾斜地４０に着地させた一対のサブクローラ３０を巡回させて、ステージ１０を、傾斜地４０の等高線とほぼ平行な方向に向けて、傾斜地４０を左右方向に移動走行させることができる。
【００２０】
即ち、この作業台車においては、ステージ１０の左右に備えられた一対のメインクローラ２０と、ステージ１０の前後に備えられた一対のサブクローラ３０とを用いて、作業台用のステージ１０を、傾斜地４０を前後方向、左右方向に適宜距離移動走行させることができる。そして、ステージ１０の前後方向を傾斜地４０の等高線に対してほぼ垂直に向けたままの状態で、ステージ１０を傾斜地４０の様々の作業地点まで自在に移動させることができる。
そして、ステージ１０を傾斜地４０上で作業地点まで移動させる際に、ステージ１０を、作業台車ごと左右に旋回移動させる必要をなすことができる。そして、そのステージ１０を作業台車ごとクローラと共に傾斜地４０上で大きく左右に旋回移動させた際に、作業台車に備えられたクローラにより傾斜地４０にクローラ走行跡が溝状に深く刻設されて、傾斜地４０が大きく傷められるのを、防ぐことができる。それと共に、ステージ１０を作業台車ごと左右に大きく旋回移動させた際に、作業台車の重心が大きく狂って、その作業台車が傾斜地上で転倒する事故をなくすことができる。
【００２１】
この作業台車においては、図６に示したように、第２昇降手段３２に、ステージ１０の後方に備えられたサブクローラ３０を、ステージ１０の前方に備えられたサブクローラ３０をステージ１０に対して上昇させた状態のままで、ステージ１０に対して降下させるサブ昇降機構３８を持たせると良い。
そして、ステージ１０の左右に備えられた一対のメインクローラ２０やステージ１０の前後に備えられた一対のサブクローラ３０を巡回させて、傾斜地４０の作業地点近くまで移動走行させた作業台車を、その作業地点近くに停止させた際に、図６に示したように、ステージ１０の後方に備えられたサブクローラ３０を、サブ昇降機構３８を用いて、ステージ１０の前方に支持されたサブクローラ３０をステージ１０に対して上昇させた状態のままで、ステージ１０に対して降下させて、そのサブクローラ３０を、傾斜地４０に着地させた状態とすることができるようにすると良い。そして、その傾斜地４０に着地させたサブクローラ３０をつっかい棒に用いて、傾斜地４０の等高線に対してほぼ垂直な方向を向くステージ１０が、重力を受けて、傾斜地４０の下方にずれ落ちるのを、防ぐと良い。
【００２２】
また、この作業台車においては、図６に示したように、ステージ１０をメインクローラ２０に対して前後方向に適宜角度回動させる回動手段６０を備えると良い。
具体的には、図６に示したように、ステージ１０前部を、エンジンルーム１２前端に、回動軸６２を介して、前後方向に回動自在に支持すると良い。それと共に、ステージ１０後部をエンジンルーム１２に対して、昇降させる昇降シリンダ６４を備えると良い。昇降シリンダ６４は、エンジンルーム１２に収蔵されたエンジン（図示せず）により、油圧駆動させる構造とすると良い。
そして、図６に示したように、傾斜地４０の等高線に対してほぼ垂直な方向を向いて、傾斜地４０を前後方向、左右方向に移動走行するステージ１０上面がほぼ水平方向を向くように、回動手段６０の昇降シリンダ６４を用いて、ステージ１０をメインクローラ２０に対して、回動軸６２を中心に、前後方向に適宜角度回動させることができるようにすると良い。そして、その水平方向を向くステージ１０上面に、掘削機などの作業機械（図示せず）をステージ１０外部に脱落せぬように安定させて搭載したり、散水用の水や消毒液を貯めた貯留槽（図示せず）を該槽内から散水用の水や消毒液が溢れて漏れ出さないよに安定させて搭載したりできるようにすると良い。
【００２３】
また、この作業台車においては、図１に示したように、ステージ１０前部にサービスステージ５０を備えると良い。サービスステージ５０は、ステージ出入機構（図示せず）により、図１に実線で示したように、ステージ１０前方に突出させたり、同じ図１に破線で示したように、ステージ１０内側に引っ込めたりできる構造とすると良い。ステージ出入機構は、スライド方式としても良いし、リンク機構を用いた方式としても良い。
そして、図６に示したように、ステージ１０の左右に備えられたメインクローラ２０やステージ１０の前後に備えられたサブクローラ３０を巡回させて、傾斜地４０の作業地点近くまで移動走行させた作業台車を、その作業地点近くに停止させる等した際に、ステージ出入機構を用いて、サービスステージ５０をステージ１０前方に突出させることができるようにすると良い。そして、そのサービスステージ５０前端を、ステージ１０前方の傾斜地４０の近くまで接近させた状態とすることができるようにすると良い。そして、その傾斜地４０に接近させたサービスステージ５０上に、ステージ１０上に搭載された作業機械（図示せず）を移動させて、その作業機械によりサービスステージ５０前端近くの傾斜地４０を確実かつ的確に掘り起こす等することができるようにすると良い。
また、このようにして、サービスステージ５０前端近くの傾斜地４０を作業機械により掘り起こす等した後には、サービスステージ５０上の作業機械をステージ１０上に再び戻すと共に、ステージ出入機構を用いて、そのサービスステージ５０をステージ１０内側にに引っ込めることができるようにすると良い。そして、作業台車を傾斜地４０を前後方向、左右方向に移動走行させた際に、サービスステージ５０が、傾斜地４０に引っ掛かる等して、作業台車の円滑な走行を妨害するのを、防ぐことができるようにすると良い。
【００２４】
また、この作業台車においては、図１ないし図３に示したように、ステージ１０の周囲に柵７０を備えると良い。
そして、ステージ１０上に搭載された掘削機などの作業機械や、その作業機械をステージ１０上に乗って操作する作業者が、ステージ１０外部に脱落するのを、ステージ１０の周囲に備えられた柵７０により、防ぐことができるようにすると良い。
【００２５】
この作業台車においては、ステージ１０上に運転席を設けて、その運転席に作業者が腰掛けて、ステージ１０上に備えられたレバー類により、作業台車を操作する構造としても良いし、又は、作業者がステージ１０近くに立って、無線式、有線式等のコントロールボッックスに備えられたスイッチ類を操作して、作業台車を操作する構造としても良い。
また、図１ないし図３等に示したように、ステージ１０後部には、作業用の道具類を収容する収容ボックス８０を備えると良い。
【産業上の利用可能性】
【００２６】
本発明の作業台車は、山間部などに点在する畑地、荒れ地等の傾斜地を作業地点近くまで移動走行させて、その作業地点でステージに搭載された様々の作業機械により様々の作業を行うための、作業台車に広く有効利用可能である。
また、本発明の作業台車は、ステージに収穫果実、収穫野菜等を乗せて、それらの収穫果実、収穫野菜等を、傾斜地上を目的地点まで、搬送するための、搬送用の作業台車にも、広く有効利用可能である。
【図面の簡単な説明】
【００２７】
【図１】本発明の作業台車の使用状態を示す平面図である。
【図２】本発明の作業台車の使用状態を示す側面図である。
【図３】本発明の作業台車の平面図である。
【図４】本発明の作業台車の第２昇降手段の構造説明図である。
【図５】本発明の作業台車のエンジンルーム周辺の平面図である。
【図６】本発明の作業台車の使用状態を示す正面図である。
【符号の説明】
【００２８】
１０  ステージ
１２  エンジンルーム
２０  メインクローラ
２２  第１昇降手段
３０  サブクローラ
３２  第２昇降手段
３８  サブ昇降機構
４０  傾斜地
５０  サービスステージ
６０  回動手段
７０  柵
８０  収容ボックス
【図１】
2006007947.tif 000003
【図２】
2006007947.tif 000004
【図３】
2006007947.tif 000005
【図４】
2006007947.tif 000006
【図５】
2006007947.tif 000007
【図６】
2006007947.tif 000008